(57)【要約】【課題】アラームの鳴動状態を適切に制御する、携帯端末および携帯端末の動作方法を提供すること。【解決手段】携帯端末は、移動しているか否かを検出する加速度センサー９と、設定された時刻にアラームを鳴動させるアラーム部５と、加速度センサー９により取得された情報に基づいて第１の時刻を決定し、アラーム部５を鳴動させる時刻に基づいて第２の時刻を決定し、第１の時刻と第２の時刻を比較して判定を行う時間判定手段１３と、時間判定手段１３による判定結果に応じて、アラーム部５の動作を変化させるよう制御を行う制御部１４と、を備える。【選択図】図２
2011109432.tif 000002
【特許請求の範囲】
【請求項１】
移動しているか否かを検出するセンサーと、
設定された時刻にアラームを鳴動させるアラーム部と、
前記センサーにより取得された情報に基づいて第１の時刻を決定し、前記アラーム部を鳴動させる時刻に基づいて第２の時刻を決定し、第１の時刻と第２の時刻を比較して判定を行う時間判定手段と、
前記時間判定手段による判定結果に応じて、アラーム部の動作を変化させるよう制御を行う制御部と、を備える、
携帯端末。
【請求項２】
前記センサーは加速度センサーである、
請求項１に記載の携帯端末。
【請求項３】
周囲の光を検出する光センサーをさらに備え、
前記光センサーにより取得された情報に基づいて第１の時刻を決定する、
請求項１または請求項２に記載の携帯端末。
【請求項４】
位置を検出するＧＰＳ部をさらに備え、
前記ＧＰＳ部により取得された情報に基づいて第１の時刻を決定する、
請求項１乃至請求項３のいずれか一項に記載の携帯端末。
【請求項５】
前記第１の時刻から前記第２の時刻までの時間が、あらかじめ設定された設定時間より短い場合に、アラームの音量を大きくするようアラーム部の動作を変化させる、
請求項１乃至請求項４のいずれか一項に記載の携帯端末。
【請求項６】
メモリ部をさらに備え、
前記メモリ部は、前記時間判定手段により判定された履歴データを保存し、
前記時間判定手段は、前記メモリ部に保存された履歴データに基づいて設定時間を決定して判定を行う、
請求項５に記載の携帯端末。
【請求項７】
基地局とのデータの送受信を行う無線部をさらに備える、
請求項１乃至請求項６のいずれか一項に記載の携帯端末。
【請求項８】
使用者の歩数をカウントする歩数計と、
設定された時刻にアラームを鳴動させるアラーム部と、
前記歩数計でカウントされた歩数と、前記歩数計で過去にカウントされた歩数に基づいて定められたしきい値との比較結果に応じて、前記アラーム部の動作を変化させるよう制御を行う制御部と、を備える、
携帯端末。
【請求項９】
アラーム付き携帯端末の動作方法であって、
当該携帯端末が移動しているか否かを検出し、
当該携帯端末の移動状態に基づいて第１の時刻を決定し、
アラームを鳴動させる時刻に基づいて第２の時刻を決定し、
前記第１の時刻と前記第２の時刻を比較して判定し、
前記判定の結果に応じて、アラームの動作を変化させる
携帯端末の動作方法。
【請求項１０】
当該携帯端末の周囲の光を検出し、
前記光の検出結果に基づいて第１の時刻を決定する、
請求項９に記載の携帯端末の動作方法。
【請求項１１】
当該携帯端末の位置情報をＧＰＳにより検出し、
当該携帯端末の位置情報に基づいて第１の時刻を決定する、
請求項９または請求項１０に記載の携帯端末の動作方法。
【請求項１２】
設定時間をあらかじめ設定し、
前記第１の時刻と前記第２の時刻から判定した時間と、前記設定時間とを比較し、
前記第１の時刻と前記第２の時刻から判定した時間が前記設定時間より短い場合に、アラームの音量を大きくするようアラームの動作を変化させる、
請求項９乃至請求項１１のいずれか一項に記載の携帯端末の動作方法。
【請求項１３】
前記第１の時刻と前記第２の時刻から判定した時間を記録し、
前記記録された時間に基づいて前記設定時間を決定する、
請求項１２に記載の携帯端末の動作方法。
【発明の詳細な説明】
【技術分野】
【０００１】
本発明はアラーム機能を有する携帯端末およびアラーム機能を有する携帯端末の動作方法に関する。
【背景技術】
【０００２】
通常の社会生活において、学校に登校する時刻や会社に出社する時刻は定刻である場合が多く、就床時間はまちまちであっても起床時間は決まっていることが多い。
一般に、定刻に起床するために目覚まし時計が使用される。目覚まし時計は、あらかじめ時刻を設定しておき、設定した時刻になると所定の動作を行う。ここで所定の動作とは、例えば電子的なアラーム音を発するものや、ベルを鳴らすものなど、音を発するものであることが多い。
【０００３】
また近年では、アラーム機能を有する携帯端末が、目覚まし時計の代わりに使用される場合がある。携帯端末を枕元等の身近に置いておき、アラームを定刻に鳴動させることにより、定刻での起床を図るものである。
【０００４】
特許文献１には、人の在室パターンを予測する技術について開示されている。これによると、人の在室パターンを予測することにより、家庭内の空気調和器（空調機）やエネルギー供給設備の自動運転制御を行うことができる。
【０００５】
特許文献２には、人に装着した各種センサーを用いて生体情報を収集し、生活リズムの異常を判定して通知する技術が開示されている。これによれば、人の体調の異常を即時に把握し、迅速な対応を行うことができる。
【先行技術文献】
【特許文献】
【０００６】
【特許文献１】特開平２−２５４２４７号公報
【特許文献２】特開２００７−１９０３０６号公報
【発明の概要】
【発明が解決しようとする課題】
【０００７】
しかしながら、就床時間が遅くなり次の日の起床に不安がある場合には、目覚まし時計やアラーム機能付き携帯電話の音量をあらかじめ上げておくなど、手動でアラーム（目覚まし）設定を変更しておく必要がある。
特許文献１に開示されている技術は、人が帰宅する時間や起床する時間を予測することにより、空調機の自動運転制御を行い、人による操作回数の低減を図るものであり、アラーム機能を有する携帯端末に関するものではない。
特許文献２に開示されている技術は、各種センサーにより得られた生体情報から、人の異常状態を検知するものであり、機械を自動運転制御するものではない。
【０００８】
本発明は、このような問題点を解決するためになされたものであり、アラームの鳴動状態を適切に制御する、携帯端末および携帯端末の動作方法を提供することを目的とする。
【課題を解決するための手段】
【０００９】
本発明にかかる携帯端末は、移動しているか否かを検出するセンサーと、設定された時刻にアラームを鳴動させるアラーム部と、前記センサーにより取得された情報に基づいて第１の時刻を決定し、前記アラーム部を鳴動させる時刻に基づいて第２の時刻を決定し、第１の時刻と第２の時刻を比較して判定を行う時間判定手段と、前記時間判定手段による判定結果に応じて、アラーム部の動作を変化させるよう制御を行う制御部と、を備える。
【００１０】
また本発明にかかる携帯端末は、使用者の歩数をカウントする歩数計と、設定された時刻にアラームを鳴動させるアラーム部と、前記歩数計でカウントされた歩数と、前記歩数計で過去にカウントされた歩数に基づいて定められたしきい値との比較結果に応じて、前記アラーム部の動作を変化させるよう制御を行う制御部と、を備える。
【００１１】
また、アラーム付き携帯端末の動作方法であって、当該携帯端末が移動しているか否かを検出し、当該携帯端末の移動状態に基づいて第１の時刻を決定し、アラームを鳴動させる時刻に基づいて第２の時刻を決定し、前記第１の時刻と前記第２の時刻を比較して判定し、前記判定の結果に応じて、アラームの動作を変化させる、携帯端末の動作方法である。
【発明の効果】
【００１２】
本発明により、携帯端末のアラームが鳴動させる際に、アラームの鳴動状態を自動制御することができる。
【図面の簡単な説明】
【００１３】
【図１】携帯端末の構成を示すブロック図である。
【図２】実施の形態１にかかる携帯端末の構成を示すブロック図である。
【図３】実施の形態１にかかる設定画面例である。
【図４】実施の形態１にかかるアラーム設定の例である。
【図５】実施の形態１にかかる携帯端末の動作のフローチャートである。
【図６】実施の形態１にかかる照度と明るさの目安を示す図である。
【図７】実施の形態２にかかる携帯端末の構成を示すブロック図である。
【発明を実施するための形態】
【００１４】
図１は、携帯端末の構成を示すブロック図である。
携帯端末１００は、アラーム部５と、加速度センサー９と、時間判定手段１３と、制御部１４と、を備える。
【００１５】
アラーム部５は、設定された時刻にアラームを鳴動させる。加速度センサー９は、携帯端末１００が移動しているか否かを検出する。時間判定手段１３は、加速度センサー９により取得された情報に基づいて第１の時刻を決定し、アラーム部５を鳴動させる時刻に基づいて第２の時刻を決定し、第１の時刻と第２の時刻を比較して判定を行う。制御部１４は、時間判定手段１３による判定結果に応じて、アラーム部５の動作を変化させるよう制御する。
なお、加速度センサー９は、携帯端末１００の移動状態がわかるセンサーであれば良く、他の種類のセンサーに置き換えても良い。
【００１６】
実施の形態１．
以下、図面を参照して本発明の具体的な実施の形態について説明する。
【００１７】
図２は、本実施の形態にかかる携帯端末の構成を示すブロック図である。携帯端末２００は、ＧＰＳ部１と、無線部２と、キー操作部３と、表示部４と、アラーム部５と、ＡＭＰ６と、照度センサー７と、照度判定手段８と、加速度センサー９と、変動量判定手段１０と、時間計測手段１１と、メモリ１２と、時間判定手段１３と、制御部１４と、を備える。典型的には、携帯端末２００は携帯電話である。
【００１８】
ＧＰＳ部１は、制御部１４と接続されている。また、ＧＰＳ部１はアンテナを有し、外部装置（図示せず）と通信を行う。ここで外部装置とは、一般にＧＰＳ（Global Positioning System）衛星である。
ＧＰＳ部１は、外部装置から携帯端末２００の位置情報を受信する。また、ＧＰＳ部１は、制御部１４に携帯端末２００の位置情報を出力する。
【００１９】
無線部２は制御部１４と接続し、制御部１４から出力された信号に基づいて動作する。無線部２はアンテナを有し、外部装置（図示せず）と通信を行う。ここで外部装置とは、一般に基地局である。無線部２は、制御部１４から出力された信号に基づいて外部装置にデータを送信し、外部機器から受信したデータを制御部１４に出力する。
すなわち携帯端末２００は、無線部２を介して外部装置と双方向通信を行い、データの送受信を行う。ここでデータとは、例えば音声データ、画像データ、文字データである。
【００２０】
キー操作部３は、使用者による携帯端末２００の操作を受け付ける入力部である。キー操作部３は制御部１４と接続されている。キー操作部３は、使用者がキー操作部３で入力した情報を、制御部１４に出力する。例えばキー操作部３において、使用者はアラーム部５を鳴動させる時間設定を入力することができる。
なおキー操作部３は、使用者の動作に基づいて信号を入力できるものであれば良く、キー操作によるものでなくて良い。例えば、音声により入力を行う入力部としても良い。
【００２１】
表示部４は、制御部１４と接続されている。表示部４は、制御部１４から出力された情報を表示する。図３は設定画面の例である。設定画面では、例えばＧＰＳ設定やアラーム設定、平均睡眠時間の設定を表示する。表示部４は、キー操作部３の操作により表示画面を切り替えることができる。
また、図４はアラーム設定画面の例である。使用者は、表示部４にキー操作部３の操作情報を表示しながら、アラーム部の動作設定を入力することができる。アラーム部の動作設定とは、例えばアラームの鳴動時刻や、アラームの音量、スヌーズ時間の設定である。なお設定された情報は、メモリ１２に記録される。
【００２２】
アラーム部５は、例えばアラーム音を発するスピーカーである。アラーム部５は、ＡＭＰ６と接続されている。アラーム部５は、ＡＭＰ６により設定された音量でアラームを鳴動させる。
【００２３】
ＡＭＰ６は、制御部１４と接続されている。ＡＭＰ６は、制御部１４から出力された制御情報に基づいて、アラーム部５で鳴動させるアラーム音量を決定する。
【００２４】
照度センサー７は、制御部１４と接続されている。照度センサー７は、制御部１４から出力された制御信号に基づいて動作を行い、携帯端末２００の周囲の照度情報を取得する。
また、照度センサー７は照度判定手段８に接続されている。照度センサー７で取得された照度情報は、照度判定手段８に出力される。照度判定手段８は、あらかじめ設定された判定基準と、照度センサー７から入力された照度情報と、に基づいて判定を行い、制御部１４に判定結果を出力する。
なお、照度センサー７は、光を検知するセンサーであれば良く、他の種類の光センサーに置き換えても良い。
【００２５】
加速度センサー９は、制御部１４と接続されている。加速度センサー９は、制御部１４から出力された制御信号に基づいて動作を行い、携帯端末２００の移動情報を取得する。
また、加速度センサー９は、変動量判定手段１０に接続されている。加速度センサー９で取得された移動情報は、変動量判定手段１０に出力される。変動量判定手段１０は、あらかじめ設定された判定基準と、加速度センサー９から入力された移動情報と、に基づいて判定を行い、制御部１４に判定結果を出力する。
なお、携帯端末２００として加速度センサー付きの携帯電話を用いている場合には、新しいセンサーを設ける必要はない。
加速度センサー９は、携帯端末２００の移動状態がわかるセンサーであれば良く、他の種類のセンサーに置き換えても良い。
【００２６】
時間計測手段１１は、制御部１４と接続されている。時間計測手段１１は制御部１４から出力された制御信号に基づいて動作を行う。時間計測手段１１は、制御信号に基づいて第１の時刻を設定する。この制御信号は、典型的には、変動量判定手段１０から出力された信号に応じて変更出力される制御信号である。
また、時間計測手段１１は、使用者がアラーム部５を鳴動させるよう設定した時刻に基づいて、第２の時刻を設定する。
時間計測手段１１は、設定した第１の時刻と第２の時刻に基づく信号を制御部１４と、時間判定手段１３に出力する。
【００２７】
メモリ１２は、各種の設定情報を記録する。またメモリ１２は、制御部１４と接続されている。メモリ１２は、制御部１４から出力された制御情報に基づいて、メモリ１２に記録された情報を、制御部１４や時間判定手段１３に出力する。
例えば、メモリ１２には、キー操作部３により入力されたアラーム鳴動時刻の情報や、使用者の平均睡眠時間の情報が記録されている。したがってメモリ１２は、記録されたアラーム鳴動時刻の情報を、制御信号に応じて、制御部１４を介してＡＭＰ６に出力する。また、メモリ１２は記録された使用者の平均睡眠時間の情報を、時間判定手段１３に出力する。
なおメモリ１２には、照度判定手段８で用いる設定データや、変動量判定手段１０で用いる設定データを記録しておいても良い。この場合、メモリ１２は、制御部１４から出力された制御信号に応じて、メモリ１２に記録されている情報を、照度判定手段８や変動量判定手段１０に出力する。
【００２８】
時間判定手段１３は、時間計測手段１１と、メモリ１２と、制御部１４とそれぞれ接続されている。時間判定手段１３は、時間計測手段１１から出力された第１の時刻と第２の時刻に基づく信号を入力する。また時間判定手段１３は、メモリ１２が出力した使用者の平均睡眠時間を入力する。時間判定手段１３は、第１の時刻と第２の時刻と、使用者の平均睡眠時間から、時間の判定を行う。
時間判定手段１３は、判定結果に基づいて制御部１４に信号を出力する。また、時間判定手段１３は、第１の時刻と第２の時刻から導出された値を、メモリ１２に出力する。なおメモリ１２は、第１の時刻と第２の時刻から導出された値を記録し、過去のデータとして蓄積する。
【００２９】
制御部１４は、ＧＰＳ回路１と、無線部２と、キー操作部３と、表示部４と、ＡＭＰ６と、照度センサー７と、照度判定手段８と、加速度センサー９と、変動量判定手段１０と、時間計測手段１１と、メモリ１２と、時間判定手段１３と、制御部１４と、それぞれ接続されている。
なお制御部１４は、ＡＭＰ６を介さずにアラーム部５と直接接続し、アラーム部５に制御信号を出力する構造としても良い。
【００３０】
次に、携帯端末２００の動作について説明する。図５は本実施の形態に係る携帯端末２００の動作フローを示すフローチャートである。
【００３１】
携帯端末２００は、ＧＰＳ部１を用いて通信を行い、携帯端末２００の現在地を測位する（ステップＳ１）。
携帯端末２００の現在地が自宅でなければ、現在地の測位を繰り返し行い（ステップＳ２でＮｏ）、携帯端末の現在地が自宅であれば（ステップＳ２でＹＥＳ）、照度センサー７による周囲の照度測定を行う（ステップＳ３）。なお、現在地の判断基準は必ずしも自宅でなくて良く、あらかじめ設定した位置としても良い。
これにより就寝者の就寝場所が設定され、携帯端末２００が、設定した位置以外の場所で誤動作するのを防止することができる。
【００３２】
照度センサー７により検出した照度を、照度判定手段８において判定する。照度が基準値以上である場合には（ステップＳ４でＮｏ）、照度センサー７による照度測定を繰り返し行う。照度判定手段８により、照度が基準値以下である場合には（ステップＳ４でＹＥＳ）、加速度センサー９による携帯端末２００の変動量検出（ステップＳ５）を行う。
ここで、図６は照度と明るさの目安を示した図である。照度の基準値は、例えばロウソクの明かりから２０ｃｍの距離の時の照度である１０ルクス程度とすることができる。すなわち、携帯端末２００の周囲の照度が１０ルクス以上であれば、照度センサー７による照度測定を繰り返し行い（ステップＳ４でＮｏ）、携帯端末２００の周囲の照度が１０ルクス以下であれば、加速度センサー９による携帯端末２００の変動量検出（ステップＳ５）を行う。
すなわち、照度センサー７により、使用者が就寝するために室内を暗くした状態を検出する。なお、照度の基準値は使用環境により変更できることが望ましい。
【００３３】
加速度センサー９により検出した変動量を、変動量判定手段１０において判定する。変動量が基準値以上である場合には（ステップＳ６でＮｏ）、照度センサー７による照度測定（ステップＳ４）に戻り、処理を繰り返し行う。変動量判定手段１０により、変動量が基準値以下である場合には（ステップＳ６でＹＥＳ）、アラーム鳴動時刻の設定確認を行う（ステップＳ７）。また、このときの時刻を第１の時刻とする。
携帯端末２００の判定基準は、携帯端末２００が静止しているかを判定できる微小変動量とするのが望ましい。
【００３４】
アラーム鳴動時刻の設定確認（ステップＳ７）において、アラーム部５を鳴動させたい時刻の情報をメモリ１２に確認する。ここで、アラーム部５を鳴動させるよう設定した時刻を、第２の時刻とする。
なお、アラーム鳴動時刻の設定は、あらかじめ行っておくことが望ましい。アラーム鳴動時刻の設定を変更する場合には、表示部４に図３及び図４で示したような設定画面を表示し、使用者がキー操作部３を用いて入力することにより行う。
【００３５】
次に、時間計測手段１１は、第１の時刻と第２の時刻から睡眠時間αを算出する（ステップＳ８）。睡眠時間αは、典型的には、第１の時刻と第２の時刻の減算により算出する。例えば、第１の時刻が２３時３０分であり、第２の時刻が翌日の６時３０分である場合には、第１の時刻と第２の時刻の差である７時間が、睡眠時間αとして算出される。
時間計測手段１１は、睡眠時間αの情報を、時間判定手段１３に出力する。また、メモリ１２は、メモリ１２に保存されている平均睡眠時間の情報を、時間判定手段１３に出力する。
時間判定手段１３において、睡眠時間αが平均睡眠時間より長いと判定された場合には（ステップＳ９でＮｏ）、アラーム部５のアラーム音量の設定を変化させない（ステップＳ１０）。すなわち、ＡＭＰ６の設定を変更させず、通常の設定音量でアラーム部５を鳴動させる。
時間判定手段１３において、睡眠時間αが平均睡眠時間より短いと判定された場合には（ステップＳ９でＹＥＳ）、アラームの設定音量の確認（ステップＳ１１）を行う。
【００３６】
アラームの設定音量の情報は、例えばメモリ１２に記録されている。アラームの設定音量が最大より小さい場合には（ステップＳ１１でＹＥＳ）、現在設定された設定音量より大きな音量となるように、設定を変更する（ステップＳ１２）。
設定したアラーム鳴動時刻になった場合には、ＡＭＰ６は変更された設定に基づいて音量を調節し、アラーム部５を鳴動させる（ステップＳ１３）。
【００３７】
設定音量が設定音量の最大である場合には（ステップＳ１１でＮｏ）、アラームの設定音量を変更せず（ステップＳ１４）、設定したアラーム鳴動時刻にアラーム部５を鳴動させる（ステップＳ１５）。
【００３８】
第１の時刻と第２の時刻から算出された睡眠時間αは、履歴データとしてメモリ１２に保存される。これにより、メモリ１２に保存されている平均睡眠時間を更新することができる。
なお、携帯端末２００の使用当初であり、参考となる睡眠時間αがメモリ内に存在しない場合には、あらかじめ使用者が平均睡眠時間をメモリ１２に入力しておくものとする。なお、平均睡眠時間は、携帯端末２００の使用当初からの全ての睡眠時間αの履歴データから算出しても良く、任意の期間や任意の回数における平均により算出しても良い。
また、睡眠時間αは平均睡眠時間と比較するのではなく、例えば平均睡眠時間より３０分以上短い場合にアラーム設定を変更することとしても良い。
【００３９】
このような携帯端末によれば、使用者がアラームの設定変更を行うこと無く、睡眠時間に応じてアラーム部の動作変更を行うことができる。例えば、睡眠時間が短い場合には、アラームの音量を自動的に大きくすることで、使用者の起床をアシストすることができる。
【００４０】
実施の形態２．
図７は、本実施の形態にかかる携帯端末の構成を示すブロック図である。携帯端末３００は、アラーム部５と、制御部１４と、歩数計１５と、を備える。携帯端末３００は、典型的には万歩計（登録商標）である。
【００４１】
アラーム部５は、例えばアラーム音を発するスピーカーである。アラーム部５は、制御部１４と接続されており、制御部１４から出力された制御信号に応じてアラームを発する。
【００４２】
歩数計１５は、使用者の歩数を検知してカウントする。使用者の歩行の検知には、実施の形態１で示した加速度センサー９を利用することができる。すなわち、歩数計１５は加速度センサー９を内部に有し、加速度センサー９の動作によって使用者の歩行を検知する。
【００４３】
制御部１４は、アラーム部５と、歩数計１５と、それぞれ接続されている。制御部１４は、アラーム部５と、歩数計１５と、に制御信号を出力し、それぞれの動作を制御する。
【００４４】
制御部１４は、歩数計１５でカウントされた歩数と、あらかじめ設定したしきい値の比較結果に基づき、アラーム部５の動作を変化させる。
例えば制御部１４は、歩数計１５でカウントされた歩数がしきい値よりも多ければ、アラーム部５が鳴動する時の音量を大きくするように制御する。しきい値は、過去の歩数を蓄積した履歴データから定めることができ、過去の最大歩数とすることや、過去の歩数の平均値とすることができる。
【００４５】
これにより、使用者の歩数に基づいて携帯端末３００のアラーム設定を変更することができる。
例えば歩数計１５でカウントされた歩数が通常時より多い場合には、携帯端末３００は、使用者が疲労により眠りが深い状態であってもアラーム音に気づくよう、自動的にアラームの音量を大きくすることができる。
【００４６】
なお、本発明は上記実施の形態に限られたものではなく、趣旨を逸脱しない範囲で適宜変更することが可能である。例えば、携帯端末は判定結果に応じて、アラームの音量を大きくするほか、アラームを長時間鳴動させる、アラーム音を停止させる作業を複雑化させる、スヌーズ回数を増やす、光を発する、といった動作を行うこととしても良い。
【符号の説明】
【００４７】
１    ＧＰＳ部
２    無線部
３    キー操作部
４    表示部
５    アラーム部
６    ＡＭＰ
７    照度センサー
８    照度判定手段
９    加速度センサー
１０    変動量判定手段
１１    時間計測手段
１２    メモリ
１３    時間判定手段
１４    制御部
１５    歩数計
１００    携帯端末
２００    携帯端末
３００    携帯端末
【図１】
2011109432.tif 000003
【図２】
2011109432.tif 000004
【図３】
2011109432.tif 000005
【図４】
2011109432.tif 000006
【図５】
2011109432.tif 000007
【図６】
2011109432.tif 000008
【図７】
2011109432.tif 000009